(57)【特許請求の範囲】
【請求項１】
土留めブロックの上方に開放する凹所が設けられ，この凹所拡張部に網シート状の織り型補強材を装着した後，この凹所に略Ｔ字型のずれ止めキーを介して，略半円形の押さえ治具を挿入して，補強材を機械的に定着することを特徴とする補強土構造体。
【請求項２】
土留めブロックの下方に開放する凹所が設けられ，この凹所に略Ｔ字型のずれ止めキーの頭部が収納され，上部ブロックが土圧によって水平方向に押し出されようとするのを係止するのと同時に，ずれ止めキーの頭部形状を変えることによって壁面に任意の法勾配を与えることを特徴とする前記請求項１記載の補強土構造体
【請求項３】
略Ｔ字型のずれ止めキーの頭部と下方に開放する凹所の間には，必要最小限の隙間が設けられ，複数の土留ブロックが曲率を持って積重可能な特徴を有する請求項１記載の補強土構造体。
【発明の詳細な説明】
【０００１】
【発明が属する技術分野】
本発明は、斜面安定化のためにコンクリートブロックで壁面を構成し，土圧によって壁面が崩壊するのを防止するために，網シート状の織り型補強材を土中に敷設し，その壁面側の一端をコンクリートブロックに定着した補強土構造体に関するものである。
【０００２】
【従来の技術】
図５は，従来の技術の補強土構造体の一部を示す斜視図である。例えば，道路を建設する場合，補強土構造体２８が構築される。補強土構造体は壁面部を構成する部材２０とその部材に結合されて，土中に伸張敷設された補強材２４から構成される。
【０００３】
壁面部を構成する部材としては，鉄筋グリッド，エキスパンドメタル，コンクリートパネル，コンクリートブロック等が適用される。また，補強材としては帯鋼，鉄筋グリッド，高分子材料等が適用される。従来，図６のようにコンクリートブロック３０と一体型高分子材料補強材２９の定着には櫛方式（特願平０６−５１３９６０），図７のようにコンクリートブロック３３と織り型高分子材料補強材２４の定着には砕石３２によるインターロッキング方式や摩擦方式等（特願平１１−２６０５４４）が適用されてきた。
【０００４】
しかし，砕石３２によるインターロッキング方式や摩擦方式による定着に関しては，地震等による予期せぬ外力によって引き抜け等によって定着効果が消失して，補強土構造体が崩壊する可能性が問われていた。
【０００５】
【発明が解決しようとする課題】
前述したように，織り型高分子材料補強材２４によるインターロッキング方式や摩擦方式での定着方式では，地震等による予期せぬ外力によって引き抜け等によって定着効果が消失して補強土構造体２８が崩壊する可能性が問われてきた。本発明の目的は，織り型高分子材料補強材２４とコンクリートブロック２０を機械的に定着することにより，地震等による引き抜けを防止できる，より安全な補強土構造体を提供することである。
【０００６】
【課題を解決するための手段】
本発明は、織り型高分子補強材２４をコンクリートブロック２０に定着するに際し，まず補強材２４を（図８）に示すように土留めブロック２０の上方に開放する凹所２２に折り込み，その上から例えば塩ビ等の弾性体で作られた略半円形の押さえ治具２５ａ，２５ｂをコンクリート製のずれ止めキー２６を介して上部から足等で踏み付けて押し込むことによって，凹所２２内部に設けられた拡張部３７にセットする（図９）。この工程において土留めブロック２０の上方に開放する凹所２２の上部狭隘部３６は内部拡張部３７に対して挟まっているので，略半円形の押さえ治具２５ａ，２５ｂはその部分を通過する際にＵ字型に変形（図１０）して通過し易くなるような適当な剛性を有しているか，斜めに挿入する場合に最大幅が上部狭隘部３６を通過可能な大きさでなければならない。また，上部狭隘部３６を通過した後内部拡張部３７に達すると，略半円形の押さえ治具２５ａ，２５ｂは拡張するか回転して，予め織り込まれた補強材２４を内部拡張部壁面に押さえ付ける役目（図１１）を有する。このような状態で補強材を水平に引っ張ると，補強材は略半円形の押さえ治具２５ａ，２５ｂを上方に浮かす効果を生じ，押さえ治具２５ａ，２５ｂは補強材２４を内部拡張部３７の天井部に押さえつけて，水平力の増加と共にずれ止めキー２６の方向に移動し，ずれ止めキー２６と土留めブロック２０の上方に開放する凹所２２入り口の狭隘部３６に挟み込まれ，最終的に補強材２４の動きを完全に係止する（図１２）。このように本発明は，従来不可能と考えられていた織り型高分子補強材２４をコンクリートブロック２０に機械的に定着するメカニカル方式の定着機構を実現するものである。
【０００７】
さらに，当該コンクリートブロック２０の下方には，ずれ止めキー２６上部を収納する凹部２３が設けられており，このずれ止めキー２６の形状を変えることによって，コンクリートブロック２０を積重する場合，コンクリートブロック２０の積み角度を任意に設定（図３）することが出来る。
【０００８】
また，コンクリートブロック２０の下方凹部２３とずれ止めキー２６との間に隙間２７を設けることによって，コンクリートブロック２０が曲率を有する（図４）ように積重ねが可能となる。
【０００９】
【発明の実施の形態】
図１は本発明の実施の一形態であるブロック補強土構造体で用いるコンクリートブロック２０および略半円形の押さえ治具２５ａ，コンクリート製のずれ止めキー２６を示す斜視図である。
【００１０】
コンクリートブロック２０は略矩形状であり，中央部には左右に延びる中央孔２１が２箇所，上方には第１凹部２２，下方には第２凹部２３が形成される。
【００１１】
上方の第１凹部２２に織り型高分子材料補強材２４を折り込み，挿入し，その上から略半円形の押さえ治具２５ａ，２５ｂをその上部に設置するコンクリート製のずれ止めキー２６を介して，足等で踏み付けて内部拡張部３７に押し込み装着する。
【００１２】
図２はコンクリートブロック２０を積重ねた状態の断面図である。積重ねた上段のコンクリートブロック２０の第２凹所２３は，下段のコンクリートブロック２０に装着されたずれ止めキー２６を収納するものであり，これにより正確に位置決めすることができるとともに，積重ねたコンクリートブロック２０がズレることを防ぐことができる。
【００１３】
図３はコンクリートブロック２０を任意の勾配に積重ねた状態の断面図である。ずれ止めキー２６の形状を変えることによってコンクリートブロック２０の壁面法勾配を任意の勾配に設定することができる。
【００１４】
図４はコンクリートブロック２０の曲率を有する設置平面図である。図２および図３において上段コンクリートブロック２０の下方にある第２凹部２３に，下段コンクリートブロックに装着されているずれ止めキー２６を収納させると隙間２７ができ，この隙間２７によってコンクリートブロック２０が曲率を有するように積重ねが可能となる。
【００１５】
【発明の効果】
以上説明したように本発明の補強土構造体は，従来のコンクリートブロックと織り型補強体の定着はコンクリートブロック内部空洞部に詰め込んだ砕石によるインターロッキング効果と上下のブロック同士の挟み込みによる摩擦効果の相乗効果によって実現していたが，地震等によってコンクリートブロックが揺さぶられたり，上方加速度によって挟み込み力が小さくなったりすると，定着力が小さくなり，最悪の場合はコンクリートブロックの崩壊の危険性が懸念されていた。実際過去に発生した台湾地震ではコンクリートブロックが崩壊しているケースが報告されている。それに対して当該織り型高分子補強材をコンクリートブロックに機械的に定着するメカニカル方式の定着機構は地震等の外力に対しても安定的に定着力を確保可能で，安全な補強土構造体の構築が可能である。同時に略Ｔ字型キーの形状を変えることによって，壁面に法勾配を付けたり，カーブ対応可能であり，適用範囲が広いと言える。
【図面の簡単な説明】
【図１】本発明の実施の一形態であるブロック補強土構造体で用いるコンクリートブロック２０を示す斜視図である。
【図２】コンクリートブロック２０を積重ねた状態での断面図である。
【図３】コンクリートブロック２０を任意の勾配に積重ねた状態の断面図である。
【図４】コンクリートブロック２０の曲率を有する設置平面図である。
【図５】従来の技術の補強土構造体の斜視図である。
【図６】櫛方式によるコンクリートブロック３０と一体型高分子材料補強材２９の定着を示す断面図。
【図７】砕石３２によるインターロッキング方式や摩擦方式によるコンクリートブロック３３と織り型高分子材料補強材２４の定着を示す断面図。
【図８】コンクリートブロック２０と織り型高分子材料補強材２４の設置方法を示す断面図。
【図９】コンクリートブロック２０と織り型高分子材料補強材２４の設置後の状態を示す断面図。
【図１０】コンクリートブロック２０に略半円形の押さえ治具２５ａを取付ける際，上部狭隘部３６を通過する状態を示す断面図。
【図１１】第１凹部２２の内部拡張部３７内で補強材２４が押さえ治具２５ａにより挟み込まれた状態を示す断面図。
【図１２】第１凹部２２の内部拡張部３７内で押さえ治具２５ａが上部狭隘部３６に挟み込まれた状態を示す断面図。
【図１３】本発明によるブロック補強土構造体の斜視図である。
【符号の説明】
２０    コンクリートブロック
２１    中央孔
２２    第１凹部
２３    第２凹部
２４    織り型高分子材料補強材
２５ａ  弾性体で作られた押さえ治具
２５ｂ  剛体で作られた押さえ治具
２６    ずれ止めキー
２７    隙間
２８    補強土構造体
２９    一体型高分子材料補強材
３０    一体型高分子材料補強土構造体用コンクリートブロック
３１    櫛
３２    砕石
３３    従来の織り型高分子材料補強材用コンクリートブロック
３４    Ｕ字型に変形した押さえ治具
３５    押さえ治具により押さえつけられた織り型高分子材料補強材補強材
３６    第１凹部内の狭隘部
３７    内部拡張部
【図１】
0003742924.tif 000002
【図２】
0003742924.tif 000003
【図３】
0003742924.tif 000004
【図４】
0003742924.tif 000005
【図５】
0003742924.tif 000006
【図６】
0003742924.tif 000007
【図７】
0003742924.tif 000008
【図８】
0003742924.tif 000009
【図９】
0003742924.tif 000010
【図１０】
0003742924.tif 000011
【図１１】
0003742924.tif 000012
【図１２】
0003742924.tif 000013
【図１３】
0003742924.tif 000014